(57)【特許請求の範囲】
【請求項１】
絶縁材より成るケースと、該ケース内に設置された複数のターミナル片と、絶縁材より成り、前記ケースを閉鎖するカバーとを備えた電気接続部材において、前記カバーの内面に先細の切断リブを一体に形成し、前記切断リブの先端部に抜け止め突起を設け、前記複数のターミナル片を接続部分で接続して成るターミナルを前記カバーとケースとで挟み、前記ターミナル片どうしを接続する接続部分を前記切断リブで切断すると共に、該切断箇所に前記切断リブを配設して前記ターミナル片間を絶縁してあることを特徴とする電気接続部材。
【請求項２】
絶縁材より成るケースと、該ケース内に設置された複数のターミナル片と、絶縁材より成り、前記ケースを閉鎖するカバーとを備えた電気接続部材の製造方法において、前記カバーの内面に先細の切断リブを一体に形成し、前記切断リブの先端部に抜け止め突起を設け、前記カバーとケースとの間に、前記複数のターミナル片と該ターミナル片どうしを接続する接続部分とをプレス加工によって一体に形成して成るターミナルを挟み、前記カバーをケースへ押し付けて、前記切断リブにより前記ターミナル片どうしを接続する接続部分を切断し、該切断箇所に前記切断リブを配設して前記ターミナル片間を絶縁することを特徴とする電気接続部材の製造方法。
【請求項３】
前記ターミナルのターミナル片どうしを接続する接続部分に、プレス加工時に切欠を形成する請求項２に記載した電気接続部材の製造方法。
【発明の詳細な説明】
【技術分野】
【０００１】
本発明は、ケース内に接続用のターミナル片を設置し、ケースをカバーで閉鎖して成る電気接続部材及びその製造方法に関する。
【背景技術】
【０００２】
ケース内に電気部品を収納した電気製品では、電気部品と外部の電源、制御装置等を接続するために、ケース内の外界に臨む位置に電気部品と接続されたターミナルを設置して電気接続部材を形成している。
従来、ターミナルの製造及び取り扱いを容易とするために、１枚の導電板を打ち抜いて、ターミナル同士を幅狭い接続箇所によって一体に接続し、これを電気部品に接続してから接続箇所を切断してターミナルを分割し、その後、電気部品とターミナルをハウジング内に組み付けたコネクタが提案されている（特許文献１参照）。
【０００３】
しかし、上記従来のコネクタは、ターミナル同士の接続箇所を切断する専門の工具と、切断する工程や切断箇所を折り曲げる工程が必要なので、製造設備が複雑となり、加工にも手間がかかってコストが高くつく。
また、ターミナルどうしが接近して配設され、ターミナル間の隙間が狭い場合は、ターミナルどうしが接触して回路の短絡が発生する虞もある。
【先行技術文献】
【特許文献】
【０００４】
【特許文献１】特開平１０−１４４４０８号公報
【発明の概要】
【発明が解決しようとする課題】
【０００５】
本発明が解決しようとする課題は、製造工程及び設備を簡略化できてコストが低廉で済み、ターミナル片間を確実に絶縁できる電気接続部材及びその製造方法を提供することにある。
【課題を解決するための手段】
【０００６】
本発明の電気接続部材は、絶縁材より成るケースと、該ケース内に設置された複数のターミナル片と、絶縁材より成り、前記ケースを閉鎖するカバーとを備え、前記カバーの内面に先細の切断リブを一体に形成し、前記切断リブの先端部に抜け止め突起を設け、複数のターミナル片を接続部分で接続して成るターミナルを前記カバーとケースとで挟み、前記ターミナル片どうしを接続する接続部分を前記切断リブで切断すると共に、該切断箇所に前記切断リブを配設して前記ターミナル片間を絶縁してある。
【０００７】
本発明の電気接続部材の製造方法は、絶縁材より成るケースと、該ケース内に設置された複数のターミナル片と、絶縁材より成り、前記ケースを閉鎖するカバーとを備えた電気接続部材の製造方法であって、前記カバーの内面に切断リブを一体に形成し、前記カバーとケースとの間に、複数のターミナル片と該ターミナル片どうしを接続する接続部分とをプレス加工によって一体に形成して成るターミナルを挟み、前記カバーをケースへ押し付けて、前記切断リブにより前記ターミナル片どうしを接続する接続部分を切断し、該切断箇所に前記切断リブを配設して前記ターミナル片間を絶縁する。
この場合、前記ターミナルのターミナル片どうしを接続する接続部分に、プレス加工時に切欠を形成しておくと良い。
【発明の効果】
【０００８】
請求項１に係る発明によれば、カバーの内面に切断リブを形成したので、カバーでケースを閉鎖することにより、ターミナル片どうしを接続する接続部分が切断リブによって切断され、この結果、切断工具が不要となって設備が簡略化されると共に、接続部分を切断する手間を省くことができ、製造コストが低廉で済む。
また、絶縁材より成る切断リブがターミナル片の間に介在されるため、特別な絶縁手段を設けることなく、ターミナル片間を確実に絶縁できる。
さらに、抜け止め突起がターミナル片どうしの接続部分を切断した箇所の裏面に引っかかって、切断リブが切断箇所から抜けるのを防ぐので、ターミナル片間の絶縁がいっそう確実になる。
【０００９】
請求項２に係る発明によれば、ケース内にターミナルを組み込み、カバーでケースを閉鎖するだけで、ターミナル片どうしを接続する接続部分が自動的に切断されて、ターミナル片間が確実に絶縁されるので、切断工具、切断工程及び絶縁工程が不要となり、電気接続部材を簡単に製造することができる。
請求項３に係る発明によれば、ターミナル片どうしを接続する接続部分を切断リブにより簡単に、且つ、確実に切断することができる。
【図面の簡単な説明】
【００１０】
【図１】本発明の実施例に係るドアロック装置の分解斜視図である。
【図２】本発明の実施例に係るドアロック装置の蓋板を除いた平面図である。
【図３】本発明の実施例に係るカバーの内面図である。
【図４】本発明の実施例に係るターミナルのターミナル片分離前における平面図である。
【図５】本発明の実施例に係るターミナルのターミナル片分離後における平面図である。
【図６】本発明の実施例を示す電気接続部材のカバー取り付け前における要部断面図である。
【図７】本発明の実施例を示す電気接続部材のカバー取り付け後における要部断面図である。
【発明を実施するための形態】
【００１１】
以下、自動車用ドアロック装置の電気接続部材である実施例について、図面に基づき詳細に説明する。
ドアロック装置は、図１に示すように、一面が開口したケース１と、ケース１内にそれぞれ回動可能に設置され、回動に伴って車体に固定されたストライカと係脱するラッチ２０、ラッチ２０と係脱するラチェット２１、ラチェット２１と係脱し、係合時にラチェット２１をラッチ２０との係合が解除される方向へ押すオープナ２２等の回動部材と、ケース１内に収納され、オープナ２２を回動させるモータ２３、ラッチ２０の位置を検出するリミットスイッチ２４（図２参照）等の電気部品と、ケース１の開口面を塞ぎ、ドアに固定された蓋板２５とから成る。
【００１２】
ドアロック装置の電気接続部材は、ケース１内に設置された電気部品と外界の図示しない制御装置等を接続するものであって、図１及び図２に示すように、ケース１と、ケース１内の外界に臨む位置に設置されて電気部品に接続された複数の（図に示す実施例では３本の）ターミナル片２と、ケース１の電気部品及びターミナル片２を収納した部分を閉鎖するカバー３とを備える。
本実施例では、３本のターミナル片２の内、１本は、リミットスイッチ２４と制御装置とを接続するターミナル片２、他の１本は、モータ２３及びリミットスイッチ２４を接地するためのターミナル片２、さらに他の１本は、モータ２３と制御装置とを接続するターミナル片２である。
図４に示すように、これらターミナル片２は、薄い導電板をプレス加工することにより、ターミナル片２を幅の狭い複数の接続部分５で接続した１枚のターミナル４として形成され、このターミナル４がケース１内に組み込まれる。また、各ターミナル片２には複数の位置決め孔６が形成されている。
【００１３】
ケース１及びカバー３は絶縁材より成り、カバー３をケース１に嵌め込んで、その外周囲を超音波溶着等により互いに固定すると共に、カバー３とケース１とで複数のターミナル片２を挟み付けて固定してある。
ケース１の内面には、図１に示すように、それぞれターミナル片２を載置するための複数の突条７が設けられ、突条７間には、ターミナル４の接続部分５の背面に臨んで溝８が形成されている。
また、図１及び図２に示すように、突条７の上面には、ターミナル片２の位置決め孔６へ挿通される位置決め突起９が形成されている。
【００１４】
図３に示すように、カバー３の内面には、位置決め突起９の先端に嵌合する筒部１０が形成される。
また、カバー３の内面には、ターミナル４の接続部分５を横切り、ケース１の溝８に係合する切断リブ１１が一体に形成されている。図６及び図７に示すように、切断リブ１１の先端は先細の刃状となっている。切断リブ１１の先端部の側面には、先端が切断リブ１１の基部に接近するよう傾斜した抜け止め突起を形成してある。
【００１５】
このドアロック装置は、次のように製造される。
図２に示すように、ケース１内に、各種回動部材、モータ２３、リミットスイッチ２４等を組み込み、ケース１の突条７の上面にターミナル片２を載せ、ターミナル片２の位置決め孔６とケース１の位置決め突起９とを係合して、ターミナル片２をケース１に対して位置決めする。この時、ターミナル４の接続部分５は切断されておらず、ターミナル片２どうしは一体に接続されている。
次いで、ターミナル片２にモータ２３及びリミットスイッチ２４等の電気部品を接続してから、ケース１にカバー３をはめ込む。
【００１６】
そして、カバー３とケース１との間にターミナル片２を挟んだ状態で、カバー３をケース１に押し付け、カバー３の筒部１０をケースの位置決め突起９に嵌合して、カバー３とケース１とを位置決めする。
カバー３をケース１に押し付けると、図６及び図７に示すように、カバー３の内面に形成した切断リブ１１がターミナル４の幅の狭い接続部分５を切断してターミナル片２を分離し（図５参照）、切断リブ１１の先端部はケース１の溝８に挿入される。
【００１７】
この状態で、ケース１及びカバー３の外周囲を超音波溶着し、カバー３をケース１に固定する。
すると、カバー３の切断リブ１１は、ターミナル４の接続部分５を切断した切断箇所に配設されたまま残り、ターミナル片２間は絶縁材より成る切断リブ１１で確実に絶縁される。
【００１８】
なお、本発明の電気接続部材は、自動車用ドアロック装置の電気接続部材に限定されるものではなく、様々な電気製品に応用可能である。
また、切断リブ１１でターミナル４の接続部分５を簡単に切断できるように、プレス加工によってターミナル４を形成する際に、接続部分５の縁又は中間部の一部に切欠を形成しておくと良い。
さらに、先細の切断リブ１１の先端部の側面に、先端が切断リブ１１の基部に接近するよう傾斜した抜け止め突起を形成したので、抜け止め突起がターミナル片２間の切断箇所の裏面に引っかかって、切断リブ１１が切断箇所から抜けるのを防ぎ、しかも、切断リブ１１を接続部分５に差し込むときに邪魔にならない。
【符号の説明】
【００１９】
１  ケース
２  ターミナル片
３  カバー
４  ターミナル
５  接続部分
６  位置決め孔
７  突条
８  溝
９  位置決め突起
１０  筒部
１１  切断リブ
２０  ラッチ
２１  ラチェット
２２  オープナ
２３  モータ
２４  リミットスイッチ
２５  蓋板
【図１】
0005508056.tif 000002
【図２】
0005508056.tif 000003
【図３】
0005508056.tif 000004
【図４】
0005508056.tif 000005
【図５】
0005508056.tif 000006
【図６】
0005508056.tif 000007
【図７】
0005508056.tif 000008